(57)【要約】【課題】受入部に受け入れた紙葉類を簡易な構成で搬送通路に導入し、所定の回収部に搬送、収納することで、コストが安く信頼性が高い紙葉類の搬送装置を提供する【解決手段】紙葉類１０の搬送通路２０と、紙葉類１０の搬送方向に延設された突条部１８ａ（１７ａ）と、これと対向して間隙３８を介して噛み合うように形成された摩擦部材３５と、摩擦部材３５を案内移動する搬送手段５とを備え、突条部１８ａ（１７ａ）と摩擦部材３５により紙葉類１０を両面側から挟持し、搬送手段５により紙葉類１０を搬送する紙葉類の搬送装置1であって、搬送通路２０に紙葉類１０を導入する導入部５０を備え、導入部５０は、紙葉類１０の導入通路５５と、これにに続き搬送方向に沿って長く設けられ、摩擦部材３５と隙間を介して噛み合うように形成され、搬送通路２０に導入される紙葉類１０が待機状態にあるときその先縁が位置する待機突条部５１ｂとを備える。【選択図】図７
2008213955.tif 000002
【特許請求の範囲】
【請求項１】
紙葉類を搬送する搬送通路と、前記搬送通路に設けられ、前記紙葉類の搬送方向に延びて形成された突条部と、前記突条部と対向してそれと間隙を介して噛み合うように形成された摩擦部材と、前記摩擦部材を案内移動する搬送手段と、を備え、前記突条部と前記摩擦部材により前記紙葉類を両面側から押圧するように挟持し、前記搬送手段により前記摩擦部材を案内移動することで前記紙葉類を前記搬送通路に沿って搬送する紙葉類の搬送装置であって、
前記搬送通路に前記紙葉類を導入する導入部を備え、前記導入部は、前記搬送通路に合流し、前記紙葉類を導入する導入通路と、前記導入通路に続いて前記紙葉類の搬送方向に沿って長く設けられ、前記摩擦部材と対向してそれと隙間を介して噛み合うように形成され、前記導入通路から前記搬送通路に導入される前記紙葉類が待機状態にあるときその先縁が位置する待機突条部とを、備えたことを特徴とする紙葉類の搬送装置。
【請求項２】
前記待機突条部は、前記摩擦部材に対する突出高さを、前記突条部より低く形成したことを特徴とする請求項１に記載の紙葉類の搬送装置。
【請求項３】
前記紙葉類を前記待機状態に保持する待機保持手段を備え、前記待機保持手段による前記紙葉類の保持力は、前記待機状態にある前記紙葉類が前記待機突条部と前記摩擦部材に挟持されるときに生じる搬送力より大きく、前記紙葉類が前記突条部と前記摩擦部材に挟持されて前記搬送通路を搬送されるときに生じる搬送力より小さく設定されることを特徴とする請求項１または２に記載の紙葉類の搬送装置。
【発明の詳細な説明】
【技術分野】
【０００１】
本発明は、紙葉類を搬送通路に導入して搬送する紙葉類の搬送装置に関する。この装置は、例えば、遊技場において複数並設されたパチンコ台等の遊技機の間に配設される複数のパチンコ玉等の遊技媒体貸出機に投入された紙幣をその背面側に配置される紙幣搬送通路に導入し、その搬送通路により遊技機列の一側端に設けられた両替機等の紙幣収納部へその紙幣を搬送する紙幣回収搬送装置に利用される。
【背景技術】
【０００２】
従来のこの種の紙葉類の搬送装置としては、本出願人が出願し特許された特許第２９４０２３３号公報（特許文献１）や、先に出願公開された特開２００２−８３３４１号公報（特許文献２）に記載されるようなものが知られている。
ここで、特許文献1に記載される紙葉類の搬送装置は、複数箇所に設けられた紙幣の受入部に投入された紙幣が、鑑別後にその出口側の一時保留部にそれぞれ保留され、後にそれらの保留紙幣が所定の収納部に回収、収納される装置であって、各一時保留部と収納部とを接続して一方向に循環する無端状の搬送手段と、この搬送手段上の複数箇所に設けられ、搬送手段により循環し、各一時保留部を通過するときそこに保留中の紙幣を把持し、所定の収納部を通過するときその紙幣を解放して収納部に収納させる把持回収手段とを備えるものである。そして、このように構成される把持回収手段により、各受入部が受け入れた紙幣の回収が信頼性高く行える紙幣の回収装置を提供するものである。
【０００３】
また、特許文献２に記載の紙葉類の搬送装置は、紙幣を搬送する主搬送部と、複数の受入部に投入された紙幣が、鑑別後に送出される副搬送部とを備え、その副搬送部に送出された紙幣が主搬送部に導入され紙幣回収部に搬送される装置であって、副搬送部は、その受入口に設けられ互いに対向する一対の回転体と、その一方の回転体を回転駆動する回転駆動手段と、他方の回転体を往復移動しその一対の回転体間の間隔の広狭を切り換える間隔切換手段と、を備え、その一対の回転体間の間隔が狭い状態に切り換わったとき、副搬送部に受け入れられた紙幣がその一対の回転体間に挟持されて主搬送部に導入され所定の紙幣回収部まで搬送されるものである。そして、このように構成される搬送装置は、回転駆動手段の回転・停止の切り換えを行うことなく、回転体間の間隔の広狭を切り換えることにより、副搬送部に受け入れられた紙幣を主搬送部に導入するか否かを切換可能とすることができるから、主搬送路と副搬送路をそれぞれ駆動する２つの駆動手段を用いることなく、駆動手段を一つとしてコストダウンと装置の小形が可能とするものである。
【特許文献１】特許２９４０２３３号公報
【特許文献２】特開２００２−８３３４１号公報
【発明の開示】
【発明が解決しようとする課題】
【０００４】
ところで、特許文献１に記載される紙幣の搬送装置においては、一方向に循環する無端状の搬送手段上の複数箇所に、各一時保留部を通過するときそこに保留中の紙幣を把持し、所定の収納部を通過するときその紙幣を解放して収納部に収納させる把持回収手段を備えるが、その一時保留部と把持回収手段が精度良く連係して機能する必要があるから、それらの構造が複雑でコストが高く、また把持回収手段が無端状の搬送手段上に突設されてその回りを回動するから、装置の稼動スペースが大きくなり、設置場所が限定される問題があった。
【０００５】
また、特許文献２に記載される紙幣の搬送装置においては、受入部に投入された紙幣が、鑑別後に副搬送部に送出されるが、その副搬送部は一対の回転体と、回転体を一つの駆動手段に連結する駆動連結手段と、一対の回転体間の間隔の広狭を切り換える間隔切換手段等を備えるから、その構造が複雑である。また、この副搬送部に送出される紙幣は、一対の回転体により挟まれて主搬送部に導入可能な位置に送出される必要があるから、その送出位置を制御する制御手段が必要である。すなわち、その構成が複雑でコストが高い問題があった。
【０００６】
本発明は、このような問題に対応するため、簡易な構成で、受入部に投入された紙葉類を搬送通路に導入し、所定の回収部に搬送、収納することで、コストが安く、信頼性が高い紙葉類の搬送装置を提供することを目的とするものである。
【課題を解決するための手段】
【０００７】
上記課題を解決するため、請求項１に係る発明は、紙葉類を搬送する搬送通路と、前記搬送通路に設けられ、前記紙葉類の搬送方向に延びて形成された突条部と、前記突条部と対向してそれと間隙を介して噛み合うように形成された摩擦部材と、前記摩擦部材を案内移動する搬送手段と、を備え、前記突条部と前記摩擦部材により前記紙葉類を両面側から押圧するように挟持し、前記搬送手段により前記摩擦部材を案内移動することで前記紙葉類を前記搬送通路に沿って搬送する紙葉類の搬送装置であって、前記搬送通路に前記紙葉類を導入する導入部を備え、前記導入部は、前記搬送通路に合流し、前記紙葉類を導入する導入通路と、前記導入通路に続いて前記紙葉類の搬送方向に沿って長く設けられ、前記摩擦部材と対向してそれと隙間を介して噛み合うように形成され、前記導入通路から前記搬送通路に導入される前記紙葉類が待機状態にあるときその先縁が位置する待機突条部とを、備えたものである。
【０００８】
これによれば、前記紙葉類の先縁が前記待機突条部に位置して待機状態にあるとき、前記摩擦部材を前記搬送手段により案内移動し、前記紙葉類を前記待機突条部と前記摩擦部材により両面から押圧するように挟持して前記搬送通路に導入し、搬送することができる。また、前記待機状態にある前記紙葉類は、その先縁が前記紙葉類の搬送方向に沿って長く設けられる前記待機突条部の何れの位置にあっても、前記搬送手段に案内移動される前記摩擦部材により前記搬送通路に導入することができる。
【０００９】
また、請求項２に係る発明は、請求項１に記載の紙葉類の搬送装置において、前記待機突条部は、前記摩擦部材に対する突出高さを、前記突条部より低く形成したものである。
これによれば、前記待機突条部と前記摩擦部材により前記紙葉類を両面側から押圧するときの押圧力を、前記突条部と前記摩擦部材により前記紙葉類を両面側から押圧するときの押圧力より小さくすることができる。
【００１０】
また、請求項３に係る発明は、請求項１または請求項２に記載の紙葉類の搬送装置において、前記紙葉類を前記待機状態に保持する待機保持手段を備え、前記待機保持手段による前記紙葉類の保持力は、前記待機状態にある前記紙葉類が前記待機突条部と前記摩擦部材に挟持されるときに生じる搬送力より大きく、前記紙葉類が前記突条部と前記摩擦部材に挟持されて前記搬送通路を搬送されるときに生じる搬送力より小さく設定されるものである。
【００１１】
これによれば、待機状態にある前記紙葉類を前記待機保持手段により待機状態に保持し、前記待機状態から前記搬送通路に導入された前記紙葉類を確実に前記搬送通路に沿って搬送することができる。
【発明の効果】
【００１２】
以上説明したように請求項１に係る発明によれば、紙葉類の先縁が待機突条部に位置して待機状態にあるとき、摩擦部材を搬送手段により案内移動し、その紙葉類を待機突条部と摩擦部材により両面から押圧するように挟持して搬送通路に導入し、搬送することができるから、上述のように複雑な構成の一時保留部や、保留紙幣を導入駆動する回転体等を必要とせず、簡易な構成で、受入部等に投入された紙葉類を確実に搬送通路に導入し、所定の回収部に搬送、収納することができる。したがって、コストが安く、信頼性が高い紙葉類の搬送装置を提供することができる。また、待機状態にある紙葉類は、その先縁が紙葉類の搬送方向に沿って長く設けられる待機突条部の何れの位置にあっても、搬送手段に案内移動される摩擦部材により搬送通路に導入することができるから、例えば、受入部等に投入された紙幣が、その鑑別後にこの搬送装置の導入部に送出されて待機状態に置かれる場合に、その導入部への送出位置にバラツキがあっても搬送手段に案内移動される摩擦部材により確実に搬送通路に導入することができる。すなわち、紙幣の導入部への精緻な送出制御手段等が不要でコストを安くすることができる。
【００１３】
また、請求項２に係る発明によれば、待機突条部と摩擦部材により紙葉類を両面側から押圧するときの押圧力を、突条部と摩擦部材により紙葉類を両面側から押圧するときの押圧力より小さくすることができるから、紙葉類の先縁を待機突条部に位置させて待機状態ある紙葉類に生じる搬送力を小さくし、搬送通路において搬送状態にある紙葉類に生じる搬送力を大きくすることができる。したがって、待機状態の紙葉類を比較的に小さな保持力で容易に保持し、搬送状態の紙葉類を大きな搬送力で確実に搬送することができるから、信頼性の高い紙葉類の搬送装置を提供することができる。
【００１４】
また、請求項３に係る発明によれば、待機状態にある紙葉類を待機保持手段により待機状態に保持し、待機状態から搬送通路に導入された紙葉類を確実に搬送通路に沿って搬送することができるから、その動作を確実にすることができる信頼性の高い紙葉類の搬送装置を提供することができる。
【発明を実施するための最良の形態】
【００１５】
本発明の実施の形態について図を参照して説明する。図１は本発明の実施形態の紙葉類の搬送装置１を適用するもので、遊技場において複数並設された遊技機（パチンコ台等）７５の間に配置される複数の遊戯媒体（パチンコ玉等）貸出機７０に投入された紙幣を回収し、その遊技機７５列の一方端側に設けられた紙幣収納部（両替機等）７６へその紙幣を搬送する装置を備えたいわゆる遊技島８０を模式的に示す斜視図である。また、図２はこの遊技島８０の構成を示す概略平面図である。このように構成される遊技島８０において、遊技媒体貸出機７０の紙幣挿入口７１（図1）に挿入された紙幣は、その内部に設けられた図示しない紙幣識別機により真贋等が識別され、適正と判別されればその背面側の紙幣導入部５０（図２）に送出される。紙幣導入部５０に送出された紙幣は、遊技機７５列に沿ってその背面側に延設された紙葉類の搬送装置１の紙幣搬送路３に取り込まれ、遊技機７５列の一方端側に設けられた紙幣収納部７６に向けて搬送され、収納される。
【００１６】
図３は、遊技機７５列に沿ってその背面側に延設される紙幣搬送路３の概略構造を示す側断面図、図４は同様の紙幣搬送路３の概略構造を示す正面図である。この紙幣搬送路３の内部には、その幅の略中央部に一方向に循環する無端状のチェーン５が配設されている。この無端状のチェーン５は、遊技島８０の一方端側に設けられた駆動スプロケット６と、これと離間して他方側に配置された一対の従動スプロケット７に巻き掛けられて架設されている。ここで、一対の従動スプロケット７は、スライド自在に設けられた案内部材８に回動自在に取り付けられ、さらにこの案内部材８は無端状のチェーン５の内側に設けられたスプリング９によってその外側に向けて付勢されている。これにより、無端状のチェーン５はこれらの駆動スプロケット６、従動スプロケット７間に緩みなく架設される。そして、その駆動スプロケット６により一方行に循環駆動される。
【００１７】
また、この紙幣搬送路３は、無端状のチェーン５を案内する後述の案内レール部１２、１３を上下に備えたメインフレーム１１と、メインフレーム１１の上方にこれと平行に配設された上フレーム１５と、これらを挟むようにその両側に設けられた一対の通路側板１７、１８とによって略方形に形成され、その両側の通路側板１７、１８の内側に沿って紙幣を搬送する紙幣通路２０がその両側に形成されている。
【００１８】
メインフレーム１１は、上構造部１１ａと下構造部１１ｂとこれらを連結する連結プレート部１１ｃ等から構成されている。上部構造部１１ａは断面が略角筒状に形成され、その上部に無端状のチェーン５を案内する断面が略方形の案内レール部１２が設けられ、その両側部には通路側板１７、１８を装着する側板装着部２２と、紙幣１０を搬送する紙幣通路２０の下端面を形成するリブ部２３が設けられている。下部構造部１１ｂには、上構造部１１ａの案内レール部１２と上下方向に対称に案内レール部１３が設けられ、その側部に、案内レール部１３を走行する無端状のチェーン５等を覆うカバー部材２６を装着するためのカバー装着部２４が設けられている。また、上構造部１１ａと下構造部１１ｂを連結する連結プレート部１１ｃの両側には、このメインフレーム１１を搬送路支持部材等を介して遊技島８０の基台等に取り付けるジョイント案内部２５が設けられている。
【００１９】
上フレーム１５は断面が略角筒状に形成され、その上部両側に通路側板１７、１８を取り付ける取付部２８が設けられ、その下方に紙幣通路２０の上端面および上部側面を形成するリブ部２９、３０が設けられている。また、この上フレーム１５の上端部にはこれを支持部材等を介して遊技島８０の基台等に取り付けるためのジョイント案内リブ３１が設けられている。
【００２０】
紙幣搬送路３の両側の通路側板１７、１８は、メインフレーム１１と上フレーム１５を挟んで向き合うように設けられ、その内壁に紙幣通路２０に突出するように複数の突条部１７ａ、１８ａが紙幣の搬送方向に沿って延設されている。また、この突条部１７ａ、１８ａの一つは、後述の摩擦部材３５の作用部３６と隙間３８を介して噛み合うように配置され、紙幣通路２０を搬送される紙幣１０がこれらにより両面側から押圧される。すなわち、この突条部１７ａ、１８ａの一つは、紙幣１０が、安定に摩擦部材３５の作用部３６に当接して搬送されるように機能する。
【００２１】
図５は、紙幣搬送路３内を一方向に循環する無端状のチェーン５を構成するリンク４０を示すもので（ａ）はその正面図、（ｂ）はその平面図である。図に示すように、このチェーン５を構成するリンク４０は一対のリンクプレート４１を結合して双胴船型に形成されている。このリンクプレート４１の一方端部にはフック部４１ａが形成されている。また、他方端部には、両リンクプレート４１間に駆動スプロケット６および従動スプロケット７と噛み合うブッシュローラー４３が配設され、さらにその両外側に案内ローラー４５が配設されて、これらが支軸４６により回転自在に支持されている。そして、図中に実線と二点鎖線とで表示したように、隣り合うリンク４０、４０がそれぞれのフック部４１ａと支軸４６とを係合させてループ状に連結されている。また、リンク４０中央の結合部４２上面には凹部４７を有して突出形成された装着部４８が設けられている。そして、この装着部４８の凹部４７に後述の摩擦部材３５に凸状に設けられた連結部３７が着脱可能に装着される。なお、摩擦部材３５を装着しないリンク４０には、装着部４８を設けないものを使用してもよい。
【００２２】
このように構成される無端状のチェーン５は、水平方向を長手方向とする細長いループを形成して紙幣搬送路３内に張設される。そして、この無端状のチェーン５の細長いループは、図３、図４に示すように、その上側の部分と下側の部分がそれぞれメインフレーム１１の上構造部１１ａと下構造部１１ｂに設けられる案内レール部１２、１３によって支持、案内され、その両端部分が駆動スプロケット６、および一対の従動スプロケット７に噛み合うように架設される。またこの無端状のチェーン５は、各リンク４０の案内ローラー４５が案内レール部１２、１３の各辺内面よって案内され、それが転動することにより案内レール部１２、１３内を円滑に走行する。
【００２３】
図６は、無端状のチェーン５のリンク４０に装着される摩擦部材３５を示すもので、（ａ）はその正面図、（ｂ）はその側面図、（ｃ）はその下面図である。この摩擦部材３５は両側に作用部３６を備えて略コ字状に形成され、その中央部に無端状のチェーン５を構成するリンク４０の装着部４８に設けられた凹部４７に挿入される凸状の連結部３７が設けられている。そして、この連結部３７をリンク４０の凹部４７に挿入し、その両側の爪部３７ａをリンク４０の装着部４８の外側に係合させることにより、摩擦部材３５はリンク４０に着脱自在に装着される。なお、連結部３７とともにその中央部の他方端側に凸状に設けられる支柱部３９は、摩擦部材３５の作用部３６とリンク４０の間隔を適当に保持するための案内部である。
【００２４】
摩擦部材３５両側の作用部３６は、紙幣通路２０を搬送される紙幣１０と当接して摩擦力を生じるウレタンゴム等の摩擦材料からなり、その中央に形成される溝部３６ａは通路側板１７、１８に形成される突条部１７ａ、１８ａと対向し、これと隙間３８を介して噛み合うように形成されている。すなわち、このような構成によれば、紙幣通路２０を搬送される紙幣１０が、この作用部３６と突条部１７ａ、１８ａにより挟み込まれて波型状に変形すると紙幣１０が作用部３６に押圧され、それにより生じる摩擦力を安定させて、紙幣１０の搬送を確実に行うことができる。なお、この摩擦部材３５は、無端状のチェーン５のリンク４０に搬送紙幣の長さより短い所定の間隔で装着される。
【００２５】
図７は、遊技媒体貸出機７０の紙幣挿入口７１に挿入された紙幣が、その内部の図示しない紙幣識別機により適正と判別されて送出される紙幣導入部５０の構造を示す平面断面図である。図に示すように、この紙幣導入部５０は、通路側板１８（１７）と並んで配設されて紙幣通路２０の側壁を構成する導入部本体５１と、その外側に設けられた導入部カバー５２等かなり、導入部本体５１と導入部カバー５２の間に、遊技媒体貸出機７０から送出される紙幣１０を紙幣通路２０に導く紙幣導入通路５５が形成されている。この紙幣導入通路５５は、遊技媒体貸出機７０から送出される紙幣１０の向きを紙幣通路２０に沿って略直角に変更し、紙幣１０をその紙幣通路２０に合流するように案内する。また、紙幣導入通路５５と紙幣通路２０の合流部付近には、それらの通路に突出しかつ紙幣１０の搬送方向に回動自在に設けられた検知レバー５６を備え、紙幣１０がその位置を通過するとき検知レバー５６がその紙幣１０に押されて搬送方向に回動し、その回動により紙幣１０の通過を検知する紙幣搬送検知センサ５３が配置されている。
【００２６】
また、紙幣導入部５０には、通路側板１８（１７）に設けられた突条部１８ａ（１７ａ）に続きそれを延設するように導入突条部５１ａが設けられている。そして、この導入突条部５１ａには紙幣導入通路５５と紙幣通路２０の合流部から紙幣搬送方向に向かう所定の区間において、その高さが、通路側板１８（１７）の突条部１８ａ（１７ａ）よりも低く形成された導入待機部５１ｂが設けられている。ここで、この紙幣搬送路３においては、遊技媒体貸出機７０の紙幣識別機により適正と判別され紙幣導入部５０に送出された紙幣１０がエスクロ（返却可能）状態にあるとき、その紙幣１０の先縁は、この導入待機部５１ｂが形成された範囲に位置して、一時保留されるように構成されている。そして、遊技媒体貸出機７０から紙幣導入部５０に送出された紙幣１０の先端がこのように導入待機部５１ｂに位置する場合は、その紙幣１０の先端部が摩擦部材３５の作用部３６と導入待機部５１ｂにより挟まれてその搬送方向に搬送力を生じるが、その搬送力は、通路側板１８（１７）の突条部１８ａ（１７ａ）と同じ高さに形成される導入突条部５１ａの位置にある紙幣に生じるものより小さい。したがって、遊技媒体貸出機７０の本体に設けられる例えば紙幣保持ローラー７０ａ等により、この比較的に小さな搬送力に対応する力で挟持して、紙幣１０を容易にその位置に保持することができる。また、この紙幣の紙幣保持ローラー７０ａによる挟持を解消しその一時保留状態を解除（すなわちエスクロ状態を解除）すれば、その紙幣１０に生じる前述の比較的小さな搬送力により紙幣１０が搬送方向に徐々に搬送される。そして、通路側板１８（１７）の突条部１８ａ（１７ａ）と同じ高さに形成される導入突条部５１ａの位置に到達すると、その搬送力が増して比較的大きなものとなり紙幣１０の搬送を確実に行うことができる。
【００２７】
以上のような紙幣類の搬送装置１を備える遊技島８０において、遊技媒体貸出機７０の紙幣挿入口７１に挿入された紙幣１０は、その内部に設けられた紙幣識別機により真贋等が識別され、適正と判別されたときはその背面側の紙幣導入部５０に送出され、エスクロ状態で一時保留される。そして、パチンコ玉等の遊技媒体が遊技媒体貸出機７０から貸し出されると、紙幣１０のエスクロ状態が解除され、紙幣導入部５０に一時保留された紙幣１０は、遊技機７５列に沿ってその背面側に延設された紙幣搬送路３の紙幣通路２０に摩擦部材３５により取り込まれる。さらに紙幣通路２０に取り込まれた紙幣１０は、遊技機７５列の一方端に向けて搬送され、その端部に設けられた両替機等の紙幣収納部７６収納される。このようにして、遊技場において複数並設されたパチンコ台等の遊技機７５の間に配設される複数のパチンコ玉等の遊技媒体貸出機７０に投入された紙幣１０を回収し、その遊技機７５列の一側端に設けられた両替機等の紙幣収納部７６へその紙幣を搬送、収納する。
【００２８】
以上のように、本発明の紙葉類の搬送装置１によれば、紙幣１０の先縁を導入待機部５１ｂ（待機突条部）に位置させ、さらに遊技媒体貸出機７０（紙幣保持ローラ７０ａ）による一時保留状態を解除すれば、摩擦部材３５を無端状のチェーン５（搬送手段）により案内移動し、その紙幣１０を導入待機部５１ｂと摩擦部材３５により両面から押圧するように挟持して紙幣通路２０に導入し、搬送することができるから、複雑な構成の一時保留部や、保留状態の紙幣を紙幣通路２０に導入する特別な駆動手段等を必要とせず、簡易な構成で、遊技媒体貸出機７０の紙幣挿入口７１（受入部等）に投入された紙幣を確実に紙幣通路２０に導入し、紙幣収納部７６（回収部）に搬送、収納することができる。したがって、コストが安く、信頼性が高い紙葉類の搬送装置を提供することができる。また、遊技媒体貸出機７０から紙幣導入部５０に送出される紙幣１０は、その先縁が紙幣１０の搬送方向に沿って長く設けられる導入待機部５１ｂの何れの位置にあっても、無端状のチェーン５に案内移動される摩擦部材３５により紙幣通路２０に導入することができるから、遊技媒体貸出機７０の紙幣挿入口７１に投入された紙幣の紙幣導入部５０への送出位置にバラツキがあっても無端状チェーン５に案内移動される摩擦部材３５により確実に紙幣通路２０に導入することができる。すなわち、紙幣の紙幣導入部５０への精緻な送出制御手段等が不要であるからコストを安くすることができる。また、搬送装置の設置場所等の違いにより、遊技媒体貸出機７０と紙幣導入部５０の間隔が設置場所毎に異なり、遊戯媒体貸出機７０から紙幣導入部５０に送出される紙幣１０の送出量が異なる場合も、紙幣１０の先縁が導入待機部５１ｂの何れかの位置に送出されれば、その紙幣１０を摩擦部材３５により確実に紙幣通路２０に導入し、搬送することができるから、装置の設置が容易な紙葉類の搬送装置を提供することができる。
【００２９】
また、導入待機部５１ｂは、摩擦部材３５に対する突出高さを、突条部１８ａ（１７ａ）より低く形成するから、導入待機部５１ｂと摩擦部材３５により紙幣１０を両面側から押圧するときの押圧力を、突条部１８ａ（１７ａ）と摩擦部材３５により紙幣１０を両面側から押圧するときの押圧力より小さくすることができる。したがって、紙幣１０の先縁を導入待機部５１ｂに位置させて一時保留状態にある紙幣１０に生じる搬送力を小さくし、紙幣通路２０において搬送状態にある紙幣１０に生じる搬送力を大きくすることができる。すなわち、一時保留状態の紙幣１０を比較的に小さな保持力で容易に保持し、搬送状態の紙幣１０を大きな搬送力で確実に搬送することができるから、信頼性の高い紙葉類の搬送装置を提供することができる。
【００３０】
また、遊技媒体貸出機７０は、紙幣１０を一時保留状態に保持する紙幣保持ローラー７０ａ等を備え、この紙幣保持ローラー７０ａ等による紙幣１０の保持力は、一時保留状態にある紙幣１０が導入待機部５０ｂと摩擦部材３５に挟持されるときに生じる搬送力より大きく、紙幣１０が突条部１８ａ（１７ａ）と摩擦部材３５に挟持されて紙幣通路２０を搬送されるときに生じる搬送力より小さく設定されるから、一時保留状態にある紙幣１０を紙幣保持ローラー７０ａ等により一時保留状態に保持し、一時保留状態から紙幣通路２０に導入された紙幣１０を確実に紙幣通路２０に沿って搬送することができる。すなわち、紙幣１０の搬送操作を確実にすることができる信頼性の高い紙葉類の搬送装置を提供することができる。
【００３１】
なお、本発明は、言うまでもなく本実施の形態に示す装置にのみ限定されず、その趣旨の包含する範囲で応用変更が可能である。例えば、遊技媒体貸出機７０から紙幣導入部５０に送出される紙幣１０を一時保留状態に保持する保持手段は、遊技媒体貸出機７０に設けられる紙幣保持ローラー７０ａに限らず他の方法であっても良い。また、摩擦部材３５と隙間を介して噛み合うように設けられる突条部１７ａ（１８ａ）や導入突条部５１ａ、導入待機部５１ｂは、１条のみならず複数条を並べて紙幣の搬送方向に延設しても当然に良い。
【図面の簡単な説明】
【００３２】
【図１】本発明の実施形態の紙葉類の搬送装置を適用するもので、遊技場において複数並設された遊技機（パチンコ台等）の間に配置される複数の遊戯媒体（パチンコ玉等）貸出機に投入された紙幣を回収し、その遊技機列の一方端側に設けられた紙幣収納部（両替機等）へその紙幣を搬送する装置を備えたいわゆる遊技島を模式的に示す斜視図である。
【図２】本発明の実施形態の紙葉類の搬送装置を適用する遊技島の構成を示す概略平面図である。
【図３】本発明の実施形態の紙葉類の搬送装置において遊技機列に沿ってその背面側に延設される紙幣搬送路の構造を示す側断面図である。
【図４】本発明の実施形態の紙葉類の搬送装置において遊技機列の背面側に延設される紙幣搬送路を示す正面図である。
【図５】本発明の実施形態の紙葉類の搬送装置において紙幣搬送路内を一方向に循環する無端状のチェーンを構成するリンクを示すもので（ａ）はその正面図、（ｂ）はその平面図である。
【図６】本発明の実施形態の紙葉類の搬送装置において無端状のチェーンのリンクに装着される摩擦部材を示すもので、（ａ）はその正面図、（ｂ）はその側面図、（ｃ）はその下面図である。
【図７】本発明の実施形態の紙葉類の搬送装置において、遊技媒体貸出機の紙幣挿入口に挿入された紙幣が、その内部の紙幣識別機により適正と判別されて送出される紙幣導入部の構造を示す平面断面図である。
【符号の説明】
【００３３】
１  紙葉類の搬送装置  
３  紙幣搬送路
５  チェーン（搬送手段）
１０  紙幣（紙葉類）
１１  メインフレーム
１２  案内レール部
１５  上フレーム
１７  通路側板
１７ａ  突条部
１８  通路側板
１８ａ  突条部
２０  紙幣通路（搬送通路）
３５  摩擦部材
３６  作用部
３６ａ  溝部  
５０  紙幣導入部（導入部）
５１  導入部本体
５１ｂ  導入待機部（待機突条部）
５５  紙幣導入通路（導入通路）
７０  遊技媒体貸出機
７０ａ  紙幣保持ローラ（待機保持手段）
８０  遊技島
【図１】
2008213955.tif 000003
【図２】
2008213955.tif 000004
【図３】
2008213955.tif 000005
【図４】
2008213955.tif 000006
【図５】
2008213955.tif 000007
【図６】
2008213955.tif 000008
【図７】
2008213955.tif 000009